(57)【特許請求の範囲】
【請求項１】
常時は本体フレ−ム（８）の後部での直立格納位置と、又補機等（１０）を搭載するとき架台を兼ねるべく後方へ９０°回動した水平位置をとり得るカウンタウエイト（２）を備え、該カウンタウエイト（２）側はその下部に回動中心となる回転ピン（５）と前記直立・水平両位置を固定する固定ピン（９）を挿入するための固定ピン挿入穴（６）を設けた一対の取付ブラケット（３）を有し、又本体フレ−ム（８）側にはカウンタウエイト（２）に固設した回転ピン（５）を保持する切欠凹部（５ａ）と、前記取付ブラケット（３）に設けた固定ピン挿入穴（６）に対応して９０°隔てて設けられカウンタウエイトの直立位置固定用と水平位置固定用の２つの固定ピン挿入穴（６ａと６ｂ）とを有し、前記カウンタウエイト（２）を回転ピン（５）のまわりに回転し、前記本体フレ−ム（８）側の固定ピン挿入穴（６ａと６ｂ）と取付ブラケット（３）側の固定ピン挿入穴（６）とに固定ピン（９）を差し換えることによって直立位置と水平位置とを保持できるようにしたことを特徴とする建設機械における多目的カウンタウエイト。
【請求項２】
カウンタウエイト（２）側の回転ピン（５）及び固定ピン挿入穴（６）は、カウンタウエイト（２）の一端に凹部（４）を形成し、該凹部（４）の対向する両壁に側方に突出する一対の取付ブラケット（３）を固着し、該一対の取付ブラケット（３）の下端間に回転ピン（５）が固着され、取付ブラケット（３）の先端部に固定ピン挿入穴（６）が設けられたことを特徴とする請求項１記載の建設機械における多目的カウンタウエイト。
【請求項３】
本体フレ−ム（８）側の切欠凹部（５ａ）は本体フレ−ム（８）の先端下部に斜め上方に開いて回転ピン（５）の挿脱を容易にし、又２つの固定ピン挿入穴（６ａと６ｂ）は切欠凹部（５ａ）の中心（７）を中心にし前記取付ブラケット（３）側の回転ピン（５）と固定ピン挿入穴（６）間の距離Ｒ2と等しい位置に９０°隔てられていることを特徴とする請求項１又は請求項２記載の建設機械における多目的カウンタウエイト。
【発明の詳細な説明】
【０００１】
【発明の属する技術分野】
本発明は、建設機械における多目的カウンタウエイトに関するものである。
【０００２】
【従来の技術】
従来専用機化された建設機械、特に３点杭打機等においては（図１０）、種々の施行機器を動かす為の動力源等ａや施行管理装置などを建設機械本体に載せて作業を行なっている。このとき、動力源等ａは専用架台ｂ上に設置していた。このため汎用機として使用することが困難であった。
【０００３】
図１１はその一例で、動力源としての油圧ユニットが専用の架台上に設置され、これがカウンタウエイトの代りをする場合が多かった。又安全性確保の為の油圧シリンダを必要としていたが、この油圧シリンダがあると旋回動作も不可能であった。
【０００４】
そこで、図１２の如く、汎用機には動力源等ａを設置する架台ｂを、カウンタウエイトｃの上方に設けていた。図１３はその一例で、動力源としての油圧ユニットをカウンタウエイト上に設置している。このようにカウンタウエイト上に架台を設けると、その安全性の問題、或いは全体の重心が上昇すること等の為、機械の安定性に問題があった。
【０００５】
【発明が解決しようとする課題】
叙上の如く、建設機械の不安定さ、動力源用の架台を設けることによる問題点を改善する為に、図１４(ａ)に示す如く、動力源等ａを必要としない場合にはカウンタウエイトｃを直立位置に格納し、動力源等ａを必要とする場合には、この格納してあったカウンタウエイトｃを９０°回転し、動力源等ａの設置場所となり得るようにし、カウンタウエイトｃを動力源等ａの設置架台を兼用できるようにして安定度の向上及びコストダウンの可能な多目的カウンタウエイトを提供することを課題とする。
【０００６】
【課題を解決するための手段】
常時は本体フレ−ム８の後部での直立格納位置と、又補機等１０を搭載するとき架台を兼ねるべく後方へ９０°回動した水平位置をとり得るカウンタウエイト２を備え、該カウンタウエイト２側はその下部に回動中心となる回転ピン５と前記直立・水平両位置を固定する固定ピン９を挿入するための固定ピン挿入穴６を設けた一対の取付ブラケット３を有し、又本体フレ−ム８側にはカウンタウエイト２に固設した回転ピン５を保持する切欠凹部５ａと、前記取付ブラケット３に設けた固定ピン挿入穴６に対応して９０°隔てて設けられカウンタウエイトの直立位置固定用と水平位置固定用の２つの固定ピン挿入穴６ａと６ｂとを有し、前記カウンタウエイト２を回転ピン５のまわりに回転し、前記本体フレ−ム８側の固定ピン挿入穴６ａと６ｂと取付ブラケット３側の固定ピン挿入穴６とに固定ピン９を差し換えることによって直立位置と水平位置とを保持できるようにした。
カウンタウエイト２側の回転ピン５及び固定ピン挿入穴６は、カウンタウエイト２の一端に凹部４を形成し、該凹部４の対向する両壁に側方に突出する一対の取付ブラケット３を固着し、該一対の取付ブラケット３の下端間に回転ピン５が固着され、取付ブラケット３の先端部に固定ピン挿入穴６が設けられた。
本体フレ−ム８側の切欠凹部５ａは本体フレ−ム８の先端下部に斜め上方に開いて回転ピン５の挿脱を容易にし、又２つの固定ピン挿入穴６ａと６ｂは切欠凹部５ａの中心７を中心にし前記取付ブラケット３側の回転ピン５と固定ピン挿入穴６間の距離Ｒ2と等しい位置に９０°隔てられている。
【０００７】
【発明の実施の形態】
図１は通常作業時の平面視（ただし機械中心線の手前側片半分のみ示す）。図２は図１のＩＩ矢視図、即ち通常作業時の側方視、図３は図２のカウンタウエイト２を側方に９０°回し、補機等１０をカウンタウエイト２上に載せた状態を示す。
【０００８】
図１で１は本体ハウス、２は本発明に関るカウンタウエイトである。カウンタウエイト２は図１で示す如く、その下端に機械中心に対し左右対称に設けたカウンタウエイト支持部Ａで上下回転可能に支持されている。カウンタウエイト支持部Ａは図７の分解斜視図に示すごとく、カウンタウエイト２の下部に設けた凹部４の対向する内壁に対向して固設し、側方に突出する２枚の取付ブラケット３を有している。取付ブラケット３，３間の基部には回転ピン５が固設され、取付ブラケット３，３の先端部には固定ピン挿入穴６が設けられている。
【０００９】
カウンタウエイト支持部Ａと対応して本体フレ−ム８側にはその先端下部に回転ピン５が嵌る切欠凹部５ａが、又切欠凹部５ａの中心７から等距離Ｒ2上に設けた固定ピン挿入穴６ａ，６ｂを有している。９は固定ピン挿入穴に挿入する固定ピンである。
【００１０】
通常のクレ−ン作業で補機等を搭載しない場合には、本体フレ−ム８に対し、固定ピン９を取付ブラケット３に設けた固定ピン挿入穴６と、本体フレ−ム８側に設けた固定ピン挿入穴６ｂに挿入することにより、図２の如く直立格納位置にある。
【００１１】
そしてカウンタウエイト２上に補機等１０を載せる場合には、図２から図３の状態にする。即ち図２の状態にある固定ピン９を抜き、カウンタウエイト２を回転ピン５のまわりに９０°後方に回して図３の状態にする。そしてこの位置で固定ピン９をカウンタウエイト２の取付ブラケット３に設けた固定ピン挿入穴６と本体フレ−ム８側に設けたもう一個の固定ピン挿入穴６ａに挿入して水平位置を保持する。
【００１２】
図２の状態ではカウンタウエイト２は補機等１０をこの上に搭載しないので、図の如く直立し、取付ブラケット３に設けた固定ピン挿入穴６と本体フレ−ム８側の固定ピン挿入穴６ｂに固定ピン９を挿入してその格納位置を保持しているが、このときは本体フレ−ム８側のもう一つの固定ピン挿入穴６ａは空いている。
【００１３】
次に図３の如くカウンタウエイト２を回転ピン５のまわりに９０°後方に倒すと水平位置となり、この状態で補機等１０を載置することができる。この状態では、取付ブラケット３は上向きとなり、これに設けた固定ピン挿入穴６と本体フレ−ム８側のもう１つの固定ピン挿入穴６ａを合致させ、固定ピン９を挿入して水平位置を固定する。従ってこの場合はもう一方の固定ピン挿入穴６ｂは空いている。
【００１４】
カウンタウエイト２は図２又は図３の状態になるが、このとき上部旋回体の下端面１１(図３)より下方へはみ出さない様、回転ピン５は位置決めされている。即ち図４で回転ピン５の中心７からカウンタウエイト２の下隅部までの距離Ｒ1は、同じく本体フレ−ム８の切欠凹部５ａの中心からその下端面までの距離ｈに対しＲ1≦ｈ(図２，図５）となる様にしておく。又Ｒ2(図４）は固定ピン９を打ち易い様に任意の値とする。
【００１５】
図５で本体フレ−ム８に設けられたカウンタウエイト２の回転ピン５の嵌る切欠凹部５ａを図の如く斜め上に開放した構成にしたので、カウンタウエイト２を本体フレ−ム８に組込むとき、自動的にカウンタウエイト２側の回転ピン５がこの切欠き凹部５ａに嵌るようになっている。
【００１６】
（組立手順）
１）カウンタウエイト２のみ取付けるとき、建設機械の後側に十分なスペ−スのない場合には、カウンタウエイト２を回転ピン５の回りに回転して縦向きにして吊上げ（図９(ａ)）、そのまゝ固定ピン９を挿入穴６ｂと６に対し挿入する。
２）カウンタウエイト２のみの取付時に建設機械の後方に十分なスペ−スがある場合には、カウンタウエイト２を横向きの状態で吊上げ（図９(ｂ)）、カウンタウエイト２を回転ピン５のまわりに回転して引起し（図９(ｃ)）、固定ピン９を固定ピン挿入穴６と６ｂに挿入する。
３）動力源等を乗せる架台としてカウンタウエイト２を兼用するときは、カウンタウエイト２を横向きにして回転ピン５を切欠凹部５ａに嵌め、固定ピン９を固定ピン挿入穴６と６ａに挿入し、動力源等をカウンタウエイト２上に載せる。あるいは動力源等をカウンタウエイト２に載せて予め固定したのち、吊り上げ、本体へ挿入する方法でもよい。
【００１７】
（分解手順）
以上の組立手順の逆で行うことができる。
【００１８】
逆に本体を分解輸送する場合には、図３の状態からでも、固定ピン９を抜けば、下の位置にある回転ピン５は切欠凹部５ａから斜め上方に引上げてすぐに外すことができる。
【００１９】
上記実施形態において固定ピン９の代りに、油圧シリンダ等でカウンタウエイト２を保持し、図２の状態から図３の状態へ無段階的にカウンタウエイト２を保持可能にすれば、作業状態に応じた本体安定度を保つことができる。又小量のカウンタウエイトでもその重心位置を変えることにより、モ−メントバランスを保つことができる。
【００２０】
【発明の効果】
（１）本体フレ−ム８の後部に直立位置と、水平位置を保持可能なカウンタウエイト２を設けたので、カウンタウエイトとしての機能はもとより、動力源等の補機の設置場所としても使用でき、しかもその場合でも安定度の十分な置き場所を提供できる。
【００２１】
（２）カウンタウエイト２側に回転ピン５と位置固定用の固定ピン挿入穴６を設け、これに対応し、本体フレ−ム８側に回転ピン５を上側から受入れる斜め上向きの切欠凹部５ａと、９０°離れた固定ピン挿入用の２つの固定ピン挿入穴６ａと６ｂを設けたので、カウンタウエイト２の直立位置と水平位置の切換えが固定ピン９の差し換えのみで容易となり、分解輸送等の場合でも、その作業性が一段と向上される。
【図面の簡単な説明】
【図１】本発明の通常作業状態における平面図。
【図２】図１のＩＩ矢視側面図。
【図３】補機等を載置すべく、カウンタウエイトを水平に回動した状態の側面図。
【図４】カウンタウエイト下部の詳細図。
【図５】本体フレ−ム端部の詳細図。
【図６】カウンタウエイト支持部Ａの詳細図。
【図７】カウンタウエイト支持部Ａの斜視図。
【図８】カウンタウエイトと本体フレ−ムとの取付関係説明図。
【図９】本発明の組立・分解手順説明図。
【図１０】公知専用機の概念図。
【図１１】公知専用機の一例を示す図。
【図１２】公知汎用機の概念図。
【図１３】公知汎用機の一例を示す図。
【図１４】本発明に関る多目的カウンタウエイトの概念図。
【符号の説明】
１  本体ハウス                  ２  カウンタウエイト
３  取付ブラケット              ４  凹部
５  回転ピン                    5a  切欠凹部
６,6a,6b  固定ピン挿入穴        ７  (切欠凹部の)中心
８  本体フレ−ム                ９  固定ピン
10  補機等                      11  上部旋回体の下端面
【図１】
0003808590.tif 000002
【図２】
0003808590.tif 000003
【図３】
0003808590.tif 000004
【図４】
0003808590.tif 000005
【図５】
0003808590.tif 000006
【図６】
0003808590.tif 000007
【図７】
0003808590.tif 000008
【図８】
0003808590.tif 000009
【図９】
0003808590.tif 000010
【図１０】
0003808590.tif 000011
【図１１】
0003808590.tif 000012
【図１２】
0003808590.tif 000013
【図１３】
0003808590.tif 000014
【図１４】
0003808590.tif 000015